(57)【特許請求の範囲】
【請求項１】
流体の出入により膨張・収縮する流体袋を備える血圧計用カフにおいて、
前記流体袋は、外側に位置する平面視ほぼ矩形の第１の流体室と、この第１の流体室に相対して連接され内側に位置する平面視ほぼ矩形の第２の流体室とを有し、前記第１及び第２の流体室を連接する部分は、各流体室の平面視領域よりも狭い領域部分で固着され、かつこの固着部分で囲まれる領域内に前記第１及び第２の流体室を連通する穴を備えたことを特徴とする血圧計用カフ。
【請求項２】
前記穴は、一対の対向縁が流体袋の巻付方向に延び、別の一対の対向縁が巻付方向と直交する方向に延びる矩形状であることを特徴とする請求項１記載の血圧計用カフ。
【請求項３】
前記流体袋は、外側に位置する外壁部と、内側に位置する内壁部と、外壁部及び内壁部の巻付方向に延びる一対の両側端をそれぞれ連接する側壁部とを備え、両側壁部は外壁部及び内壁部よりも硬質であることを特徴とする請求項１又は請求項２記載の血圧計用カフ。
【発明の詳細な説明】
【０００１】
【発明の属する技術分野】
本発明は、測定部位として例えば上腕や手首に巻回し、その測定部位を圧迫して血圧を測定するのに使用する血圧計用カフに関する。
【０００２】
【従来の技術】
従来、その種の血圧計用カフは、図５（全体斜視図）に示すようなものである。この血圧計用カフ７０は、外側カフ片７１と、内側カフ片７２と、外側カフ片７１及び内側カフ片７２で形成された帯状袋の内部に設けられた空気袋７３と、空気袋７３の外側に配置されて空気袋７３の外側への膨らみを抑えると共に、所定の湾曲形状を弾性的に保持するクリップ板７４とを備える。外側カフ片７１及び内側カフ片７２にはそれぞれ面ファスナ７５，７６が設けられ、この面ファスナ７５，７６によりカフ７０を測定部位に巻付状態で固定する。
【０００３】
このようなカフ７０は、例えば図６に示すような手首血圧計に装備され、血圧計本体８０に取付けられる。
【０００４】
一方、図４（上図が収縮状態、下図が膨張状態）に概略的に示すように、阻血カフ５０を内外２枚のカフ片５１，５２にて袋状に形成し、阻血カフ５０に空気を入れて阻血カフ５０の厚さ方向に膨らみをもたせるための両側壁部５３を内側のカフ片５１の両側端で手首に巻付ける周方向に設けてなるカフがある（例えば、特許文献１参照）。
【０００５】
【特許文献１】
特許第２８４００７５号公報
【０００６】
【発明が解決しようとする課題】
ところで、図５のようなカフ７０に使用される空気袋７３は、一般に図３（上図が収縮状態、下図が膨張状態）に示すように、外壁部６１と内壁部６２からなり、その両壁部６１，６２が巻付方向の両側端６３で溶着等により互いに固着されてなるものである。
【０００７】
しかしながら、このような空気袋７３が膨らむと、空気袋７３の幅（巻付方向に直角な方向の寸法）が狭くなり、カフ７０を巻付けた測定部位内に存在する動脈に空気袋７３の膨張による圧力が十分に伝わらなくなり、血圧測定精度の信頼性が低下してしまう。特に、手首血圧計のカフの場合、上腕に比べて腱等が集中しており阻血を行うのには障害が多く、上腕に比べて十分な阻血能力がより重要である。そこで、幅が狭くなる従来のカフ構成であると、阻血部分に十分な圧力が掛かり難く、良好な阻血ができ難い。
【０００８】
また、上記特許文献１記載のようなカフでは、阻血カフ５０は、両側壁部５３が外側に張り出して膨らむので、阻血カフ５０の幅は膨らんでも変わらない。しかしながら、空気排出後に、両側壁部５３が元の内側に折り畳まれた状態に戻らなくなるという問題が生じる。
【０００９】
本発明は、そのような従来の問題点に着目してなされたもので、流体袋を膨張させても幅が変化せず、しかも膨張時に幅方向に膨らむこともなく、膨張・収縮でも元の形状を維持できる血圧計用カフを提供することを目的とする。
【００１０】
【課題を解決するための手段】
前記目的を達成するために、本発明の血圧計用カフは、流体の出入により膨張・収縮する流体袋を備えるものにおいて、前記流体袋が、外側に位置する平面視ほぼ矩形の第１の流体室と、この第１の流体室に相対して連接され内側に位置する平面視ほぼ矩形の第２の流体室とを有し、前記第１及び第２の流体室を連接する部分が、各流体室の平面視領域よりも狭い領域部分で固着され、かつこの固着部分で囲まれる領域内に前記第１及び第２の流体室を連通する穴を備えたことを特徴とする。
【００１１】
このカフでは、流体袋が第１及び第２の流体室を有し、その第１及び第２の流体室を連接する部分が、各流体室の平面視領域よりも狭い領域部分で固着され、かつこの固着部分で囲まれる領域内に第１及び第２の流体室を連通する穴を備えるので、流体袋に流体（空気、水等）を入れないときは、流体袋は収縮したままの形状を維持する。流体袋に流体を入れると、流体袋は収縮状態から幅方向に張り出そうとする。しかし、第１及び第２の流体室を連接する部分が、各流体室の平面視領域よりも狭い領域部分で固着されているため、流体袋は幅方向には突出せず、カフの厚さ方向にほぼ真っ直ぐに伸びるのに伴ってカフが厚さ方向に膨張する。このため、流体袋は膨張時に幅方向に膨らまず、流体袋の幅は膨張前と殆ど変わらない。一方、流体袋の流体を排出すると、流体袋は収縮状態に容易に戻り、膨張前の状態に復元する。
【００１２】
このカフにおいて、固着部分で囲まれる領域内に形成される穴は、具体的には例えば、一対の対向縁が流体袋の巻付方向に延び、別の一対の対向縁が巻付方向と直交する方向に延びる矩形状である。
【００１３】
【発明の実施の形態】
以下、本発明を実施の形態に基づいて説明する。
【００１４】
その一実施形態に係る血圧計用カフに内蔵される空気袋（流体袋）の部分斜視図を図１に示す。この空気袋１０は、外側に位置する外壁部１１と、内側に位置する内壁部１２と、外壁部１１及び内壁部１２の巻付方向に延びる一対の両側端１１ａ，１１ｂ、１２ａ，１２ｂにそれぞれ連接し、当該空気袋１０の内側方向に折り畳まれた側壁部１３，１４と、この両側壁部１３，１４を空気袋１０内で連接する連結部１５とを有する。側壁部１３は外壁部１１及び内壁部１２の側端１１ａ，１２ａに接着剤や溶着等により固着され、同様に側壁部１４は外壁部１１及び内壁部１２の側端１１ｂ，１２ｂに接着剤や溶着等により固着されている。
【００１５】
この空気袋１０では、側壁部１３は片１６，１７からなり、片１７は連結部１５に一体に設けられ、片１６は連結部１５と片１７との境界に接着剤や溶着等で固着され、接合部が形成される。同様に側壁部１４は片１８，１９からなり、片１９は連結部１５に一体に設けられ、片１８は連結部１５と片１９との境界に固着され、接合部が形成される。
【００１６】
この空気袋１０によると、第１の空気室（流体室）１は、外壁部１１、側壁部１３の片１６、連結部１５及び側壁部１４の片１８で形成され、第２の空気室２は、内壁部１２、側壁部１３の片１７、連結部１５及び側壁部１４の片１９で形成される。更に、この空気袋１０では、連結部１５に穴２０が適当な間隔を置いて形成されている。この穴２０は、連結部１５により二分割された空気袋１０内の第１及び第２の空気室１，２を連通するためのもので、穴２０を形成することで空気の流通が良くなる。
【００１７】
このように構成した空気袋１０では、空気が送り込まれると、空気圧により外壁部１１及び内壁部１２が空気袋１０の厚さ方向に膨らみ、それに伴って側壁部１３，１４が厚さ方向に伸びる。しかし、側壁部１３，１４は連結部１５で連接されているため、外側に突出するようなことはなく、最大でほぼ真っ直ぐな状態になるまで伸びる。このため、空気袋１０は膨張時に幅方向には膨らまず、空気袋１０の幅は膨張前と殆ど変わらない。一方、空気袋１０の空気を排出すると、外壁部１１と内壁部１２が接近するのに連れて、側壁部１３，１４は連結部１５により折り畳まれた状態に容易に戻り、膨張前の状態に復元する。
【００１８】
この空気袋１０において、側壁部１３，１４を外壁部１１及び内壁部１２よりも硬質にすれば、膨張時における空気袋１０の重心バランスが良くなり、この空気袋１０を用いたカフで測定部位をより安定して圧迫できるようになる。
【００１９】
両側壁部１３，１４を外壁部１１及び内壁部１２より硬質にするには、側壁部１３，１４と外壁部１１及び内壁部１２との材質を同じにする場合には、例えば同種の軟質塩化ビニルシートを使用するなら、一例として側壁部１３，１４の厚さを０．４ｍｍ、外壁部１１及び内壁部１２の厚さを０．２ｍｍとする。或いは、異なる材質にする場合は、側壁部１３，１４が外壁部１１及び内壁部１２より硬くなるように、各々の材質や厚さを適宜選定する。
【００２０】
別実施形態に係る血圧計用カフに内蔵される空気袋の部分斜視図を図２に示す。この空気袋３０は、外壁部３１、内壁部３２、側壁部３３，３４及び連結部３５を有する。側壁部３３は片３６，３７からなり、片３６，３７は一体に固着されると共に、連結部３５の端部に固着され、接合部が形成される。同様に側壁部３４は片３８，３９からなり、片３８，３９は一体に固着されると共に、連結部３５の端部に固着され、接合部が形成される。
【００２１】
この空気袋３０では、第１の空気室３は、外壁部３１、側壁部３３の片３６、連結部３５及び側壁部３４の片３８で形成され、第２の空気室４は、内壁部３２、側壁部３３の片３７、連結部３５及び側壁部３４の片３９で形成される。また、ここでの連結部３５は、上記空気袋１０の連結部１５のように帯状を成すものではなく、複数個で構成され、複数個の連結部３５が適当な間隔で側壁部３３，３４に固着されることで、側壁部３３，３４が連結部３５によって連接されている。連結部３５間に形成された穴４０は空気流路として作用する。この空気袋３０も上記空気袋１０と同様の作用効果を奏する。
【００２２】
なお、上記実施形態の空気袋１０，３０は一例であり、種々の変更が可能である。例えば、連結部１５に形成する穴２０の形状や個数は適宜変更すればよい。また、上記実施形態では、外壁部及び内壁部と側壁部はそれぞれ個別に作製してから固着しているが、例えば射出成形により、外壁部、内壁部、側壁部及び連結部を有する空気袋を一体形成してもよい。
【００２３】
【発明の効果】
以上説明したように、本発明の血圧計用カフによれば、流体袋が第１及び第２の流体室を有し、その第１及び第２の流体室を連接する部分が、各流体室の平面視領域よりも狭い領域部分で固着され、かつこの固着部分で囲まれる領域内に第１及び第２の流体室を連通する穴を備えるので、流体袋は膨張時に幅方向に膨らまず、流体袋の幅は膨張前と殆ど変わらない。一方、流体袋の流体を排出すると、流体袋は収縮状態に容易に戻り、膨張前の状態に復元し、膨張・収縮でも元の形状を維持する。
【図面の簡単な説明】
【図１】一実施形態に係る血圧計用カフに内蔵される空気袋の部分斜視図である。
【図２】別実施形態に係る血圧計用カフに内蔵される空気袋の部分斜視図である。
【図３】従来例に係る空気袋の収縮状態（上図）及び膨張状態（下図）を示す部分斜視図である。
【図４】別の従来例に係る空気袋の収縮状態（上図）及び膨張状態（下図）を示す部分斜視図である。
【図５】一般的な空気袋の一例を示す斜視図である。
【図６】図５のような空気袋を装備した手首血圧計の斜視図である。
【符号の説明】
１，３        第１の空気室（流体室）
２，４        第２の空気室（流体室）
１０，３０    空気袋（流体袋）
１１，３１    外壁部
１２，３２    内壁部
１３，１４    側壁部
１５，３５    連結部
３３，３４    側壁部
【図１】
0003747917.tif 000002
【図２】
0003747917.tif 000003
【図３】
0003747917.tif 000004
【図４】
0003747917.tif 000005
【図５】
0003747917.tif 000006
【図６】
0003747917.tif 000007